(57)【要約】  本発明は次のような穿刺システムに関する。すなわちこの穿刺システムは、複数のランセット４を搭載するランセットキャリアテープ３と、このランセットキャリアテープ３を１つの搬送方向に搬送経路にそって搬送し、それによりランセットキャリアテープ３のランセット４を順次穿刺位置に運ぶための搬送装置５、１１、１７と、穿刺位置に位置するランセット４を穿刺運動させるための穿刺アクチュエーター６とを備える。本発明は次のことを意図する。すなわち、穿刺運動の際、穿刺アクチュエーター６が、穿刺位置に運ばれたランセット４を、ランセットキャリアテープ３のうち当該ランセット４を搭載する部分と共に、穿刺方向に動かす。そして、１つのランセット４が穿刺位置に運ばれたのち、搬送装置５、１１、１７のうち搬送方向に見て穿刺位置背後に位置する少なくとも一部分が、当該ランセット４の穿刺運動前、または穿刺運動中に、１つの運動を行う。
2010536516.tif 000002
【特許請求の範囲】
【請求項１】
当該ランセットキャリアテープの長手方向を横切って配置された複数のランセット（４）を搭載するランセットキャリアテープ（３）と、
上記ランセットキャリアテープ（３）を１つの搬送方向に搬送経路にそって搬送し、それによりランセットキャリアテープ（３）のランセット（４）を順次穿刺位置に運ぶための搬送装置（５、１１、１７）と、
穿刺位置に位置するランセット（４）を穿刺運動させるための穿刺アクチュエーター（６）とを備える
穿刺システムであって、
穿刺運動の際、穿刺アクチュエーター（６）が、穿刺位置に運ばれたランセット（４）を、ランセットキャリアテープ（３）のうち当該ランセット（４）を搭載する部分と共に、穿刺方向に動かすことと、
−１つのランセット（４）が穿刺位置に運ばれたのち、搬送装置（５、１１、１７）のうち搬送方向に見て穿刺位置背後に位置する少なくとも一部分が、当該ランセット（４）の穿刺運動前、または穿刺運動中に、１つの運動を行うことを特徴とする上記穿刺システム。
【請求項２】
前記搬送装置（５、１１、１７）が１つの巻取装置（５）を備え、当該巻取装置が、ランセットキャリアテープ（３）を工程動作によって巻き取ることにより、ランセット（４）を順次穿刺位置に運ぶことを特徴とする請求項１記載の穿刺システム。
【請求項３】
搬送装置（５、１１）の少なくとも一部分の前記運動が、巻取装置（５）の逆回転工程であって、この場合、巻取装置（５）は、ランセット（４）を穿刺位置に運ぶために正回転工程を行い、その後、穿刺位置に運ばれたランセット（４）の穿刺運動のためテープを巻取装置（５）から引き出すために逆回転工程を行うことを特徴とする請求項２記載の穿刺システム。
【請求項４】
前記逆回転工程が穿刺運動の間行われることを特徴とする請求項３記載の穿刺システム。
【請求項５】
前記正回転工程では、巻取装置（５）を駆動するため巻取装置（５）と結合され、そして逆回転工程では巻取装置（５）から結合解除される駆動エレメント（９）を特徴とする請求項３または４記載の穿刺システム。
【請求項６】
前記搬送装置（５、１１、１７）が、搬送方向に見て穿刺位置の背後に配置された案内エレメント（１１）を含み、当該案内エレメントは、搬送経路の曲がり箇所に配置され、当該案内エレメントを回ってランセットキャリアテープ（３）が曲げられていることを特徴とする請求項１〜５のいずれか１項に記載の穿刺システム。
【請求項７】
前記テープ案内装置（１１）を第１の位置と第２の位置の間で動かすことができ、この場合、第１の位置とは、ランセットキャリアテープ（３）が第１の曲げ角度でテープ案内エレメント（１１）を回って曲げられる位置であり、第２の位置とは、ランセットキャリアテープ（３）が上記より少なく曲げられるか、またはまったく曲げられない位置であり、またこの場合、テープ案内エレメント（１１）は、ランセット（４）が穿刺位置に位置決めされた後、第２の位置に向かって動かされることを特徴とする請求項６記載の穿刺システム。
【請求項８】
前記テープ案内エレメント（１１）が２つ設けられ、当該テープ案内エレメント間に穿刺位置が位置することを特徴とする請求項６または７記載の穿刺システム。
【請求項９】
前記搬送装置（５、１１、１７）が２つの旋回アーム（１７）を備え、当該旋回アーム間に穿刺位置が位置し、また当該旋回アームはそれぞれテープ案内エレメント（１１）を１つずつ備え、当該テープ案内エレメントは搬送経路の曲がり箇所に配置され、また当該テープ案内エレメントを回ってランセットキャリアテープ（３）が曲げられ、この場合、旋回アームが穿刺運動の際に旋回運動を行うことを特徴とする請求項１〜８のいずれか１項に記載の穿刺システム。
【請求項１０】
前記旋回運動が、穿刺方向に垂直に方向付けされたジオメトリー的な軸を中心に行われることを特徴とする請求項９記載の穿刺システム。
【請求項１１】
前記ランセットキャリアテープ（３）が、各ランセット（４）間に、ランセット穿刺によって得られた体液サンプルを検査するための試験フィールド（１４）を搭載することを特徴とする請求項１〜１０のいずれか１項に記載の穿刺システム。
【請求項１２】
前記穿刺運動の際、穿刺方向前側にあるランセットキャリアテープ（３）の長手周縁が曲げられることを特徴とする請求項１〜１１のいずれか１項に記載の穿刺システム。
【請求項１３】
前記穿刺位置に運ばれたランセット（４）の先端が、穿刺運動の間、ランセットキャリアテープ（３）から離れることを特徴とする請求項１２記載の穿刺システム。
【請求項１４】
前記搬送装置（５、１１、１７）がスリップクラッチを介して駆動エレメント（９）に連結されていることを特徴とする請求項１〜１３のいずれか１項に記載の穿刺システム。
【請求項１５】
前記穿刺アクチュエーター（６）が、ランセットキャリアテープ（３）に結合するため結合ヘッド（６ａ）を備え、当該結合ヘッドは１つの空隙を備え、ランセットキャリアテープ（３）が当該空隙内を通過することを特徴とする請求項１〜１４のいずれか１項に記載の穿刺システム。
【発明の詳細な説明】
【技術分野】
【０００１】
本発明は、次のような穿刺システムに関する。すなわち、複数のランセットを備えるランセットキャリアテープと、ランセットキャリアテープを１つの搬送方向に搬送経路にそって搬送し、ランセットキャリアテープのランセットを順次穿刺位置に運ぶための搬送装置と、穿刺位置にあるランセットを穿刺運動させるための穿刺アクチュエーターとを備える穿刺システムである。この種の穿刺システムは、たとえば独国特許第２８０３３４５号明細書から知られている。
【背景技術】
【０００２】
この公知の穿刺システムの場合、ランセットキャリアテープは、このテープの穴を貫通するピンに把握されて、穿刺のため捕捉され、次にランセットはテープの横方向にスライドされる。
【０００３】
この公知の穿刺システムの欠点は、その機構の複雑さである。そのためランセットそのほかのシステムコンポーネントの寸法を、非常に大きくしなければならなくなる。
【発明の概要】
【０００４】
したがって本発明の課題は、ランセットキャリアテープを用いる穿刺システムとしてコンパクトかつ安価なものをいかにして得るか、その方法を示すことである。
【０００５】
この課題は、請求項１に記載する特徴を持つ穿刺システムによって解決される。本発明の有利な発展形を、従属請求項に記載した。この課題はそのほか、請求項１２に記載の特徴を持つ穿刺システムによっても解決される。
【０００６】
本発明による穿刺システムの場合、穿刺位置に運ばれたランセットが、ランセットキャリアテープの当該ランセットを載せた部分と共に、穿刺方向に動かされる。ランセットキャリアテープを捕捉して、ランセットをテープに対して相対的に変位させる複雑な措置は、したがって省かれる。しかし、穿刺の際にランセットをランセットキャリアテープと共に穿刺方向に動かすという本発明による措置には、１つの問題が生じる。すなわち、ランセットキャリアテープをデバイスハウジングに対して相対的に動かすことが可能でなければならない、という問題である。この場合ランセットキャリアテープを裂いてはならない。とくに穿刺の苦痛をできるだけ少なくするためには、ランセットキャリアテープを、穿刺されるランセットと共に、非常に迅速に動かさなければならない。
【０００７】
本発明はこの問題を次のようにして解決する。すなわち、ランセットが穿刺位置に運ばれたのち、このランセットの穿刺運動前または運動中に、搬送装置のうち、搬送方向に見て穿刺位置の後ろに配置された少なくとも一部分が、１つの運動を行うようにする。
【０００８】
たとえばこの搬送装置は巻取装置を備え、この巻取装置はまず、ランセットを穿刺位置に運ぶ正回転工程を行い、その後、穿刺運動のため、穿刺位置に運ばれたランセットテープを巻取装置から巻き戻す逆回転工程を行う。
【０００９】
正回転工程の際、ランセットは穿刺位置に引かれ、テープもまた緊張する。つづく逆回転工程によってテープは巻取装置から引き出され、穿刺運動に十分なテープ長さが得られる。この場合、逆回転工程を穿刺運動開始前に行って、穿刺位置と巻取装置間のランセットキャリアテープを緩め、テンション解除することができる。そうすると、ランセットを穿刺位置で支持するテープ部分を、穿刺運動の際、巻取装置に対して相対的に問題なく動かすことができる。逆回転工程はこのような場合、巻取装置を逆方向に駆動することによって行うことができる。
【００１０】
この逆回転工程を穿刺運動中に行うこともできる。たとえば正回転工程の際に巻取装置を駆動するため巻取装置と結合される駆動エレメントを、逆回転工程のため、巻取装置から結合解除することができる。そうすると巻取装置は自由に動いて、穿刺運動中に引っ張られても逆回転によってそれにしたがうことができ、穿刺運動に必要なテープ長さが自由になる。駆動エレメントは、たとえば切替クラッチ、たとえばフリーホイールのような自動切り替えするクラッチとすることができる。この切替クラッチは、正回転のためのトルクを巻取装置に伝達するが、逆回転の際には結合解除されるので、巻取装置は自由に逆方向に回転できる。外部切替方式のクラッチ、たとえば穿刺アクチュエーター装置を作動すると開く爪クラッチを用いることも可能である。
【００１１】
搬送装置の上記少なくとも一部分の本発明による運動は、たとえばテープ案内エレメントによっても行うことができる。このエレメントは、搬送経路の曲がり箇所に配置され、このエレメントを回ってランセットキャリアテープが曲げられる。このようなテープ案内エレメントは、搬送装置の一部として、１つの運動によってテープの曲げを軽減し、穿刺運動のためのテープ長さをあたえる。好ましくは穿刺位置は、２つの可動型テープ案内エレメントの間に位置し、これらエレメントを回ってランセットキャリアテープが曲げられるものとする。
【００１２】
好ましくは上記少なくとも１つのテープ案内エレメントは、次のような第１の位置と第２の位置の間を動くことができるものとする。第１の位置とは、ランセットキャリアテープが、第１の曲げ角度でテープ案内エレメントを回って曲げられている位置である。第２の位置とは、ランセットキャリアテープが、上記より少なく曲げられ、またはまったく曲げられていない位置である。そしてこのテープ案内エレメントは、ランセットが穿刺位置で位置決めされたのち、第２の位置に向かって動かすことができる。
【００１３】
テープ案内エレメントの本発明によるこの可動性は、たとえばこのエレメントを変位可能な状態で軸受することによって得られる。この方法によれば、テープ案内エレメントは、スプリング力に対抗する変位運動によって、穿刺運動によって高くなったテープテンションにしたがうことができる。
【００１４】
搬送装置の上記少なくとも一部分の本発明による運動は、次のような旋回運動とすることもできる。すなわちこの旋回運動は、たとえば穿刺運動の際に２本の旋回アームによって行われ、これらのアーム間に穿刺位置があり、またアームそれぞれテープ案内エレメントを１つずつ持つ。このテープ案内エレメントは、搬送経路の曲がり箇所に配置され、このエレメントを回ってランセットキャリアテープが曲げられている。
【００１５】
たとえば両者旋回アームは、それらテープ案内エレメントによってＵ字形のテープ案内を生じることができる。このテープ案内は、穿刺の際に、穿刺方向に直角に方向付けされた１つのジオメトリー的な軸を中心に旋回される。ここで穿刺するランセットを載せるテープ部分は、穿刺運動を、旋回運動として、または線形運動として行うことができる。
【００１６】
ランセットは、ランセットキャリアテープ上で、好ましくはこのテープの長手方向を横切って方向付けされているものとする。ランセットキャリアテープ上の各ランセット間には、ランセット穿刺によって得られた体液サンプルを検査する試験フィールドを配置することができる。そうすれば体液サンプル採取のため、試験フィールドを穿刺位置に運んで、穿刺アクチュエーターを穿刺運動のために用いることができる。この穿刺運動によって、試験フィールドは、それ以前にランセット穿刺によって生じていた穿刺傷に動かされる。
【００１７】
ランセットキャリアテープは、ランセット穿刺の際に穿刺アクチュエーターによって動かされるが、その際、穿刺するランセットとランセットキャリアテープが、結合されたままとなるのが好ましい。ランセットキャリアテープは、穿刺運動の際、穿刺方向前側のテープ長手周縁に作用する曲げ装置によって曲げられ、その結果として、ランセットの先端はランセットキャリアテープから突出するのが好ましい。この場合ランセットは、テープ先端の反対側に当たる穿刺方向後ろ側の部分によって、穿刺運動の間全体を通じて、ランセットキャリアテープにとどまる。
【００１８】
この搬送装置は、好ましくは１つの巻取装置を備え、この巻取装置は、ランセットキャリアテープを工程動作として巻き取ることによって、ランセットを順次穿刺位置に運ぶ。この穿刺運動は、巻取装置の回転の軸となるジオメトリー的な軸に平行して、またはこの軸に垂直に行うことができる。
【００１９】
しかし穿刺運動に必要なランセットキャリアテープの可動性は、逆回転工程を用いないで生じることもできる。そのためには、請求項１２に記載するように、穿刺運動時に弾性伸長するランセットキャリアテープを用いる。穿刺運動の際、ランセットキャリアテープのうち、穿刺位置と巻取装置の間にある部分の長さが変化する。この長さ変化は、上記段落に記載した通り、巻取装置からランセットキャリアテープを引き出すことによって生じることができ、またはランセットキャリアテープの弾性伸長として行うことができる。
【００２０】
本発明のそのほかの詳細と利点を、実施例を用い、添付の図面に関連付けしながら説明する。ここで説明する各特徴は、個別にまたは組み合わせとして、特許請求範囲の対象物とすることができる。添付の各図面で、同じ部品および、たがいに相当する部品には、同じ符号を付した。図面の示す内容は下記の通り：
【図面の簡単な説明】
【００２１】
【図１】穿刺運動前における１つの実施例を模式的に示す。
【図２】図１の側面図である。
【図３】図１の実施例であって穿刺運動実行時のものを示す図である。
【図４】図３の側面図である。
【図５】穿刺運動前におけるもう１つの実施例を模式的に示す図である。
【図６】図５の側面図である。
【図７】図５の実施例であって穿刺運動実行時のものを示す図である。
【図８】図７の側面図である。
【図９】穿刺運動前におけるもう１つの実施例を模式的に示す図である。
【図１０】図９の実施例であって穿刺運動実行時のものを示す図である。
【図１１】穿刺運動前におけるもう１つの実施例を模式的に示す図である。
【図１２】図１１の側面図である。
【図１３】図１１の実施例であって穿刺運動実行時のものを示す図である。
【図１４】図１３の側面図である。
【図１５】穿刺運動前におけるもう１つの実施例を模式的に示す図である。
【図１６】図１５の側面図である。
【図１７】図１５の実施例であって穿刺運動実行時のものを示す図である。
【図１８】図１７の側面図である。
【発明を実施するための形態】
【００２２】
図１は、穿刺システム１の実施例を、ハウジング２が開放された形で模式的に示す。穿刺システム１には、複数のランセット４を載せているランセットキャリアテープ３が属し、これらランセットは、テープ３の長手方向を横切って配置されている。この実施例では駆動されるローラーとして形成されている巻取装置５を用いて、ランセットキャリアテープ３を巻き取り、その際テープの長手方向に動かすことができる。その結果、ランセットキャリアテープ３のランセット４は、順次穿刺位置に到着し、この位置で、ランセットを載せているテープ部分を、穿刺アクチュエーター６によって、穿刺運動のため加速することができる。これは、図１の側面図である図２に示すように、ハウジング開口１６にあてがわれた身体部分７に穿刺するためである。
【００２３】
ランセットキャリアテープ３は、図示の実施例の場合、音声テープカセットと同様に、供給ローラー８に巻き取られていて、このローラーから引き出され、工程動作として、巻取装置５の駆動されるローラーに巻き取られる。ランセットキャリアテープ３は、交換可能な状態で、穿刺デバイスのハウジング２に、たとえばカセットの一部として収めることができ、または１つのデバイスに組み込んで固定することができる。このデバイスは、ランセットキャリアテープ３のランセット４が消費されると、ただちに規則にのっとって廃棄される。供給ローラー８の代わりに、たとえばランセットキャリアテープ３をジグザグに畳んでスタックとし、このスタックを用いることもできる。
【００２４】
テープ搬送の際、ランセットが穿刺位置に達する前に、ランセットキャリアテープ３はランセット４とともに、方向変換装置１０ａを通過し、この方向変換装置はランセットキャリアテープ３に９０°のねじりを生じる。ランセット４の使用後、キャリアテープ３の該当部分は第２の方向変換装置１０ｂを通過し、この装置によって、キャリアテープはふたたびねじられて、当初の方向付けに戻される。ランセットキャリアテープ３は、この経路において案内エレメント１１によって案内されるが、穿刺位置はこれら案内エレメントの間に位置する。好ましくは案内エレメント１１は、ピンとして形成されるものとする。できるだけ摩擦の少ないテープ搬送を可能とするために、ローラーを用いることも可能である。
【００２５】
巻取装置５、案内エレメント１１、方向変換装置１０ａ、１０ｂは、この実施例では搬送装置を形成し、この搬送装置によって、ランセットキャリアテープ３が１つの搬送方向に搬送経路にそって搬送されて、ランセットキャリアテープ３のランセット４を順次穿刺位置に運ぶ。
【００２６】
図２は図１の模式的な側面図であって、ハウジング開口１６にあてがわれた身体部分７、すなわち指が記載されている。体液サンプルを得るため、この指に穿刺傷を生じさせたい。
【００２７】
巻取装置５の正回転工程の際、ランセット４が図１の穿刺位置に到達するまで、ランセットキャリアテープ３を長手方向に動かす。たとえばランセット４は、キャリアテープ３上に突起を形成し、ランセット４が穿刺位置に到達すると、この突起は、穿刺アクチュエーター６の結合ヘッド６ａのストッパーに突き当たる。たとえばこの結合ヘッド６ａは、２つの相互間に動くことができるクランプ面から形成することができる。これらクランプ面の間には、開放位置にあるとき空隙が存在し、ランセットキャリアテープ３はこの空隙を通って案内される。このときランセット４は、穿刺位置で空隙の狭い箇所に衝突する。穿刺の際、結合ヘッドの両者クランプ面は圧縮されて、ランセット４とランセットキャリアテープ３とを確実に捕捉する。穿刺ののち、クランプ面はたがいに離されるので、空隙は広く開放されて、今は使用済みのランセット４は空隙を通過することができる。
【００２８】
巻取装置５は駆動エレメント９によって駆動され、この駆動エレメントは、巻取装置ローラーの正回転の際、巻取装置５と結合する。この正回転は、ランセット４を穿刺位置に位置決めするために行われるものである。図示の実施例の場合、駆動エレメント９は歯車であって、この歯車は、正回転のためのトルクを巻取装置５に伝達するが、穿刺運動の際には巻取装置５から結合解除されるので、巻取装置は自由に逆回転できる。
【００２９】
駆動エレメント９は、図１では、巻取装置５と結合された位置にあるものが示され、図３では、結合解除された位置にあるものが示されている。駆動エレメント９は駆動ヘッド６ａと、ここに示す実施例では１本のロッドを介して結合する。そして穿刺の際には、穿刺方向に動かされる。駆動エレメント９は、歯車として、より正確には円筒形歯車として形成され、結合位置においてはラック１３に、そして図３に示す巻取装置５の駆動歯車１４に接触する。巻取装置５の駆動歯車１４は、ラック１３のそばにあるので、駆動エレメントはラック１３のみならず駆動歯車１４とも結合する。
【００３０】
ランセット４を穿刺位置に位置決めするため巻取装置を作動するには、ハウジング２から突出するラック１３を、ユーザーが内側に押し込む。ラック１３の運動は、駆動エレメント９とここには示さない巻取装置５の駆動歯車とを介して、巻取装置に伝達されるので、巻取装置は回転する。穿刺の際には、駆動エレメント９は、結合ヘッド６ａと共に穿刺方向に動かされ、このようにしてラックと巻取装置の駆動歯車とから離れる。その結果、駆動エレメントは巻取装置５から結合解除され、巻取装置を自由に回転させることができる。
【００３１】
穿刺運動の際、正回転のため巻取装置５と結合されている駆動エレメントは、巻取装置５から結合解除されるので、巻取装置５は逆方向に自由に回転することができる。したがって穿刺運動の際、ランセットキャリアテープ３は、供給ローラー８からも巻取装置５からも引き出され、このようにして、穿刺運動時に行われるストロークに十分な可動性を得る。
【００３２】
ラック１３はそのほか、穿刺アクチュエーター６のここには図示しない駆動バネにテンションをかけるためにも用いられる。このため穿刺アクチュエーター６のここには図示しない駆動エレメントが、ラック１３の歯と噛み合う。
【００３３】
巻取装置５は、スリップクラッチを介して駆動エレメント９と結合すする。このようにしてラックを、常に同一経路でデバイスハウジング２の中へ押し込むことができる。ランセット４が穿刺位置に到達すると、ただちにテープ３は停止され、スリップクラッチは巻取装置５を、ラック１３のさらなる運動から結合解除する。
【００３４】
図３は、図１の実施例が穿刺運動にあるもの、すなわち穿刺アクチュエーターが最大ストロークとなり運動が方向転換点にあるものを示す。その側面図が図４である。
【００３５】
図示の実施例の場合、穿刺運動の際に両者案内エレメント１１もまた穿刺方向に共に動かされる。この措置には、テープ３の可動性が向上されて、体液サンプル採取のための穿刺運動を、できるだけ迅速かつ苦痛を少なく行うことができるという利点がある。
【００３６】
穿刺運動の際、穿刺方向前側のテープ３長手周縁が曲げられるので、穿刺するランセット４の先端がテープ３から突出し、デバイス開口９にあてがわれた身体部分７に、テープ３に妨げられることなく差し込まれることができる。テープ３の長手周縁の曲げは、たとえば穿刺位置の横に配置された斜面１２によって、たとえば１つの段付部によって、生じることができる。その結果、このテープ周縁は、穿刺運動の際に斜面に当たって向きを曲げられる。斜面１２を持つこれに適した曲げ装置を、図２および４に示す。図１および３では、単純化のためこの曲げ装置を省略する。
【００３７】
ランセットキャリアテープ３は、ランセット４の間に、ランセット穿刺によって得られた体液サンプルを検査するための試験フィールド１４を搭載する。穿刺ののち、巻取装置５は、試験フィールド１４を穿刺位置に運ぶため、さらに正回転工程を行う。つづいて穿刺アクチュエーター６の結合ヘッド６ａがさらなる穿刺運動を行い、その際、試験フィールド１４は、体液サンプル採取のため、ハウジング開口９にあてがわれた身体部分７の穿刺傷まで動かされる。この穿刺傷は、それ以前にランセット穿刺によって生じられたものである。この穿刺運動の際、巻取装置５は、ランセット４が行う穿刺運動の場合と同様、逆回転工程を行って、必要なテープ可動性を生じる。
【００３８】
試験フィールド１４によるサンプル採取後、巻取装置５はさらなる正回転工程を行う。これは、採取された体液サンプルを含む試験フィールド１４を検査位置に動かすためであって、この検査位置で、体液サンプルは穿刺システムの測定装置１５によって検査される。たとえば試験フィールド１４は、検出試薬を含むものとすることができ、この検出試薬は、体液サンプルに含まれる検体と反応して、その際に変色を生じる。この変色を、検体濃度、たとえばグルコース濃度を測定するため、測光によって評価することができる。測定装置１５は、測光測定装置として形成し、この測定装置に濃度測定のための評価ユニットを組み込むことができる。検査結果は、デバイスハウジング２の外部に配置されたディスプレイ装置、たとえば液晶ディスプレイに表示することができる。
【００３９】
図５〜８は、穿刺システムのもう１つの実施例を模式的に示す。この実施例が前記の実施例と異なるのは、巻取装置５の回転の中心となるジオメトリー的な回転軸と平行に、穿刺運動が行われる点である。この実施例の場合、穿刺症を生じさせたい身体部分７が、ハウジング２の上面に配置されたハウジング開口１６にあてがわれるが、図１〜４の実施例の場合、対応するハウジング開口１６は、狭い方の面に存在する。したがってランセットキャリアテープ３をねじるための方向変換装置は、図５〜８の実施例の場合存在しないので、テープ案内はそれに応じて単純となる。
【００４０】
またこれらの実施例を前記の実施例と同様に形成し、とくに巻取装置５からは、逆回転工程によって、穿刺運動の際のテープ可動性が得られるようにすることもできよう。
【００４１】
しかし図５〜８に模式的に示した実施例の場合、穿刺運動のためのテープ可動性は、案内エレメント１１の運動によって得られる。図５には、第１の位置にある案内エレメント１１を示した。この位置で、ランセットキャリアテープ３は、曲げ角度７０°〜１１０°、好ましくは９０°で、案内エレメント１１を回って曲げられている。新しいランセット４を穿刺位置に運ぶため、ランセット供給テープ３が搬送方向に動かされるとき、案内エレメント１１はこの第１の位置にある。
【００４２】
図７は、第２の位置にある案内エレメント１１を示す。この位置で、ランセット供給テープ３は、上記より小さい曲げ角度で、案内エレメント１１を回って曲げられている。その違いを分かりやすくするため、図７ではさらに、第１の位置にある案内エレメント１１をも示した。穿刺の際、案内エレメント１１は第２の位置にある。
【００４３】
案内エレメント１１は変位可能に支承されているので、第１と第２の位置間を動くことができる。案内エレメント１１をバネと結合し、このバネは、第１の位置から第２の位置の方向への変位の際、復元力を生じるようにすることができる。テープのテンションが高くなる場合、とくに穿刺運動の結果として高くなる場合、案内エレメント１１は第２の位置に向かって変位を生じる。この第１および第２の位置は、この場合極値位置を形成し、これらの位置が取られることはきわめてまれであるか、まったくない。なぜならば、テープ搬送の場合でも、わずかなテンションが存在する可能性があり、このテンションだけでも第１の位置からのわずかな変位が生じるからである。
【００４４】
案内エレメント１１を第１と第２の位置間で能動的に動かして、穿刺運動のためのテープの可動性を得ることもできる。たとえば、ランセット４が穿刺位置に到達しているが、まだ穿刺が開始されないとき、案内エレメント１１を、アクチュエーターによって第１の位置から第２の位置に動かすことができる。
【００４５】
上記の可動型テープ案内エレメント１１は、逆回転可能な巻取装置の代わりに、図１〜４の実施例に記載するようなテープ案内にも用いることができる。
【００４６】
可動型のテープ案内エレメント１１の利点は、巻取装置５に逆回転防止装置を設けることができる点である。図１および３に示すようなラック１３を、スリップクラッチを介して巻取装置５に結合することも可能であって、さらに容易である。
【００４７】
図５〜８の実施例の場合、摩擦トルクを最小限に抑えるため補足的な措置として、案内エレメント１１が穿刺方向にも動くことができるようにする。そのためには、案内エレメント１１をスリーブとして形成し、このスリーブが穿刺方向に変位可能に支承され、たとえばベアリングピンに支承されて、テープ搬送時にスリーブがこのベアリングピンを中心に回転できれば、好都合である。
【００４８】
図示を単純化するため、穿刺アクチュエーター６と巻取装置５の駆動装置の細部を、図５〜８では示さなかった。これらの細部は、原則として、前記実施例と同様に形成することができる。
【００４９】
図９および１０は、穿刺システムのもう１つの実施例を示す。この場合、穿刺方向は、図５〜８の実施例と同様に、巻取装置５がランセットキャリアテープ３を巻き取る際、その回転の中心となるジオメトリー的な軸と平行なものとする。この搬送装置は２つの旋回アーム１７を備え、これら旋回アームの間に穿刺位置が決まり、またこれら旋回アームはそれぞれテープ案内エレメント１１を１つずつ搭載する。このテープ案内エレメントは搬送経路の曲がり箇所に配置され、このエレメントを回ってランセットキャリアテープ３が曲げられる。穿刺運動の際には、旋回アーム１７が旋回運動を行い、その際図９に示した位置から図１０に示した位置に到達する。
【００５０】
テープ案内エレメント１７は、この実施例の場合、前記実施例の場合と同様に形成することができる。たとえば、テープ案内エレメントを湾曲した案内面として形成し、この案内面にランセットキャリアテープ３が接触し、そしてこの案内面は搬送方向に延びるものとすることもできる。
【００５１】
２つの旋回軸１７は、それぞれの末端を結合され、したがって１つの馬蹄形フレームを形成することができる。しかしこれら旋回軸１７は、たがいに接触しないのが好ましい。図示の実施例の場合、これら旋回軸１７の間に、穿刺位置と結合ヘッド６ａが位置する。そして結合ヘッド６ａは、穿刺位置に運ばれたランセット４を、ランセットを載せたテープ部分を把握するが、しかし前記実施例と同様に線形運動する。
【００５２】
旋回アーム１７の旋回運動は、穿刺方向に垂直に方向づけられたジオメトリー的な軸を中心に行われる。
【００５３】
図９および１０の実施例は１つのテープカセットであって、このテープカセットは、ランセットキャリアテープ３と、穿刺アクチュエーター６の結合ヘッド６ａとを含む。このテープカセットが、穿刺デバイスの適当する収納スペースに規定通りに挿入されると、穿刺デバイスの穿刺アクチュエーター６は、図示のテープカセットの結合ヘッド６ａに連結される。穿刺デバイス６は、挿入されたテープカセットを巻取装置５に連結するアクチュエーター、テープの長手周縁を曲げるための曲げ装置などをも含む。
【００５４】
図示のテープカセットは、それに適した穿刺デバイスとともに、１つの穿刺システムを形成する。ランセットキャリアテープのすべてのランセットが使用済みとなったテープカセットを、新しいテープカセットと交換することによって、この場合、穿刺デバイスを繰り返し使用できる。
【００５５】
図１１〜１４は、穿刺システムのもう１つの実施例を模式的に示す。この場合のテープ案内は、図１〜４の実施例と同様、ランセットキャリアテープ３を９０°ねじることを意図する。図１１〜１４の実施例の巻取装置５は、逆回転防止装置、たとえば回り止め機構と連結されているので、巻取装置５は正方向にのみ回転できる。穿刺運動に必要なテープ可動性は、ランセットキャリアテープ３の弾性挙動によって得られる。穿刺運動の際には、ランセットキャリアテープ３は弾性伸長し、こうしてランセットキャリアテープ３のうち、穿刺するランセット４から巻取装置５まで達する部分の長さに、必要な伸長が得られる。
【００５６】
図１５〜１８は、穿刺システムのもう１つの実施例を示す。この場合のテープ案内は、図５〜８の実施例のテープ案内と同じである。穿刺運動の際、ランセット４は、巻取装置５の回転の中心となるジオメトリー的な軸と、平行に動かされる。この実施例の場合も、巻取装置の逆回転は逆回転防止装置によって防止され、ランセットキャリアテープ３の必要とされる可動性は、弾性伸長によって得られる。
【符号の説明】
【００５７】
１  穿刺システム
２  ハウジング
３  ランセットキャリアテープ
４  ランセット
５  巻取装置
６  穿刺アクチュエーター
６ａ  穿刺アクチュエーターの結合ヘッド
７  身体部分
８  供給ローラー
９  駆動エレメント
１０ａ、１０ｂ  方向変換装置
１１  案内エレメント
１２  曲げ装置の斜面
１３  ラック
１４  試験フィールド
１５  測定装置
１６  ハウジング開口
１７  旋回アーム
【図１】
2010536516.tif 000003
【図２】
2010536516.tif 000004
【図３】
2010536516.tif 000005
【図４】
2010536516.tif 000006
【図５】
2010536516.tif 000007
【図６】
2010536516.tif 000008
【図７】
2010536516.tif 000009
【図８】
2010536516.tif 000010
【図９】
2010536516.tif 000011
【図１０】
2010536516.tif 000012
【図１１】
2010536516.tif 000013
【図１２】
2010536516.tif 000014
【図１３】
2010536516.tif 000015
【図１４】
2010536516.tif 000016
【図１５】
2010536516.tif 000017
【図１６】
2010536516.tif 000018
【図１７】
2010536516.tif 000019
【図１８】
2010536516.tif 000020
【国際調査報告】
2010536516.tif 000021
2010536516.tif 000022
2010536516.tif 000023
2010536516.tif 000024